【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
ファイルを入力する入力手段と、
前記ファイルをエンコードすることによりコード情報を生成するコード情報生成手段と、
前記ファイルのコード情報を第１のシート群に印刷するとともに、各ファイルに対応するコード情報がどのシートに印刷されているかを識別するための識別情報を第２のシート群に印刷する印刷手段と
を含むことを特徴とする印刷装置。
【請求項２】
前記識別情報は、前記コード情報生成手段によりコード化された状態で前記第２のシート群に印刷されることを特徴とする請求項１に記載の印刷装置。
【請求項３】
前記識別情報には、ファイルごとに固有のファイルＩＤが含まれることを特徴とする請求項１または２に記載の印刷装置。
【請求項４】
前記印刷手段は、前記ファイルに格納されているデータの種類を象徴する象徴画像も前記第２のシート群に印刷することを特徴とする請求項１ないし３のいずれか１項に記載の印刷装置。
【請求項５】
前記印刷手段は、前記象徴画像を印刷する際に、前記コード情報生成手段によりコード化された前記象徴画像を印刷することを特徴とする請求項４に記載の印刷装置。
【請求項６】
前記印刷手段は、複数のファイルについてそれぞれのコード情報を印刷する際には、先行するファイルのコード情報と、後続のファイルのコード情報との切れ目を明示する処理を実行することを特徴とする請求項１ないし５のいずれか１項に記載の印刷装置。
【請求項７】
前記切れ目を明示する処理は、改ページ処理、白紙ページの挿入処理、または、切れ目を表すマーカの印刷処理であることを特徴とする請求項６に記載の印刷装置。
【請求項８】
前記印刷手段は、複数のファイルについてそれぞれのコード情報を印刷する際には、シートの印刷順序をランダムに並び替えて印刷することを特徴とする請求項１ないし７のいずれか１項に記載の印刷装置。
【請求項９】
コード情報からもとのファイルを復元する復元装置であって、
前記ファイルのコード情報が印刷された第１のシート群と、各ファイルに対応するコード情報がどのシートに印刷されているかを識別するための識別情報が印刷された第２のシート群を読み取る読み取り手段と、
復元されるべきファイルを指定する指定手段と、
指定された前記ファイルに対応するコード情報が印刷されているシートを、前記識別情報に基づいて特定する特定手段と、
前記特定されたシートに印刷されているコード情報を復号して、指定された前記ファイルを復元する復元手段と
を含むことを特徴とする復元装置。
【請求項１０】
前記復元手段は、前記第２のシート群に印刷されているコード情報から前記識別情報を復元することを特徴とする請求項９に記載の復元装置。
【請求項１１】
前記特定手段は、前記識別情報に含まれるファイルごとに固有のファイルＩＤに基づいて、指定された前記ファイルに対応するコード情報が印刷されているシートを特定することを特徴とする請求項９または１０に記載の復元装置。
【請求項１２】
前記指定手段は、
前記第２のシート群に印刷されている各ファイルの象徴画像、または、前記第２のシート群に印刷されているコード情報から復元された該象徴画像を表示する表示手段と、
表示された前記象徴画像に基づいて、復元されるべきファイルを選択する選択手段と
を含むことを特徴とする請求項９ないし１１のいずれか１項に記載の復元装置。
【請求項１３】
前記復元手段は、前記第２のシート群に印刷されているコード情報から前記象徴画像を復元することを特徴とする請求項１２に記載の復元装置。
【請求項１４】
前記読み取り手段は、
複数あるシートのうち、指定された前記ファイルを復元するために必要とされないシートを、前記識別情報に基づいて決定する決定手段と
前記決定されたシートの読み取りをスキップするスキップ手段と
を含むことを特徴とする請求項９ないし１３のいずれか１項に記載の復元装置。
【請求項１５】
先行するファイルのコード情報と、後続のファイルのコード情報との切れ目を、改ページ、白紙ページ、または、切れ目を表すマーカに基づいて認識する認識手段をさらに含むことを特徴とする請求項９ないし１４のいずれか１項に記載の復元装置。
【請求項１６】
前記復元手段は、前記第１のシート群に含まれる各シートの印刷順序がランダムな場合は、各シートから読み取られたコード情報の順序を前記識別情報に基づいて正しい順番に並び替えてから前記ファイルを復元することを特徴とする請求項９ないし１５のいずれか１項に記載の復元装置。
【請求項１７】
請求項１ないし８のいずれか１項に記載された印刷装置と、
請求項９ないし１６のいずれか１項に記載された復元装置と
を含むことを特徴とするデータ処理システム。
【請求項１８】
ファイルを入力するファイル入力工程と、
前記ファイルをエンコードすることによりコード情報を生成するコード情報生成工程と、
前記ファイルのコード情報を第１のシート群に印刷するとともに、各ファイルに対応するコード情報がどのシートに印刷されているかを識別するための識別情報を第２のシート群に印刷する印刷工程と
を含むことを特徴とするコードの印刷方法。
【請求項１９】
コード情報からもとのファイルを復元する復元方法であって、
前記ファイルのコード情報が印刷された第１のシート群と、各ファイルに対応するコード情報がどのシートに印刷されているかを識別するための識別情報が印刷された第２のシート群を読み取る読み取り工程と、
復元されるべきファイルを指定する指定工程と、
指定された前記ファイルに対応するコード情報が印刷されているシートを、前記識別情報に基づいて特定する特定工程と、
前記特定されたシートに印刷されているコード情報を復号して、指定された前記ファイルを復元する復元工程と
を含むことを特徴とする復元方法。
【請求項２０】
ファイルを入力するファイル入力工程と、
前記ファイルをエンコードすることによりコード情報を生成するコード情報生成工程と、
前記ファイルのコード情報を第１のシート群に印刷するとともに、各ファイルに対応するコード情報がどのシートに印刷されているかを識別するための識別情報を第２のシート群に印刷する印刷工程と
をコンピュータに実行させるためのコンピュータプログラム。
【請求項２１】
コード情報からもとのファイルを復元するためのコンピュータプログラムであって、
前記ファイルのコード情報が印刷された第１のシート群と、各ファイルに対応するコード情報がどのシートに印刷されているかを識別するための識別情報が印刷された第２のシート群を読み取る読み取り工程と、
復元されるべきファイルを指定する指定工程と、
指定された前記ファイルに対応するコード情報が印刷されているシートを、前記識別情報に基づいて特定する特定工程と、
前記特定されたシートに印刷されているコード情報を復号して、指定された前記ファイルを復元する復元工程と
をコンピュータに実行させるためのコンピュータプログラム。
【請求項２２】
前記復元手段により一定時間内にファイルが復元できない場合、蓄積された情報を削除する削除手段をさらに有することを特徴とする請求項９記載の復元装置。
【請求項２３】
ファイルを入力する入力手段と、
前記ファイルをエンコードすることによりコード情報を生成するコード情報生成手段と、
前記ファイルのコード情報を複数ページに印刷する印刷手段とを含み、
前記コード情報は、ファイルを特定する情報とページ番号を特定する情報と総ページ数を特定する情報を含むことを特徴とする印刷装置。
【請求項２４】
ファイルを特定する情報とページ番号を特定する情報と総ページ数を特定する情報を含むコード情報が印刷されたシート群を読み取る読み取り手段と、
前記コード情報を復号して、ファイルを復元する復元手段と
を含むことを特徴とする復元装置。